(57)【特許請求の範囲】
【請求項１】
管ガラスの口焼きの状態を検査する管ガラス用検査装置であって、
前記管ガラスの外周面から前記管ガラスの壁内に光を入射することで、前記管ガラスの壁内から前記管ガラスの端面に向けて光を照射する光源と、
前記管ガラスの端面から出射する光を検出可能とする検出部と、
前記検出部による光の検出結果に基づき前記口焼きの状態の良否を判定する判定部と、を備えることを特徴とする管ガラス用検査装置。
【請求項２】
前記光源は、第１の光源と、前記管ガラスの管軸方向から見たときに前記第１の光源とは異なる方向から前記管ガラスの壁内に光を入射する第２の光源と、を含むことを特徴とする請求項１に記載の管ガラス用検査装置。
【請求項３】
前記光源からの光が入射される前記管ガラスを管軸中心で回転させる回転機構を備えることを特徴とする請求項１又は請求項２に記載の管ガラス用検査装置。
【請求項４】
前記検出部は、前記管ガラスの端面を撮像可能に設けられた撮像装置を含むことを特徴とする請求項１から請求項３のいずれか一項に記載の管ガラス用検査装置。
【請求項５】
管ガラスの口焼きの状態を検査する管ガラスの検査方法であって、
前記管ガラスの外周面から前記管ガラスの壁内に光を入射することで、前記管ガラスの壁内から前記管ガラスの端面に向けて光を照射する光源と、
前記管ガラスの端面から出射する光を検出可能とする検出部と、
前記検出部による光の検出結果に基づき前記口焼きの状態の良否を判定する判定部と、を用いることを特徴とする管ガラスの検査方法。
【請求項６】
管ガラスの端部を口焼きする口焼き装置を備える管ガラスの加工装置であって、
前記管ガラスの口焼きの状態を検査する管ガラス用検査装置をさらに備え、
前記管ガラス用検査装置は、前記管ガラスの外周面から前記管ガラスの壁内に光を入射することで、前記管ガラスの壁内から前記管ガラスの端面に向けて光を照射する光源と、
前記管ガラスの端面から出射する光を検出可能とする検出部と、
前記検出部による光の検出結果に基づき前記口焼きの状態の良否を判定する判定部と、を備えることを特徴とする管ガラスの加工装置。
【請求項７】
前記管ガラスを選別する選別装置をさらに備え、
前記選別装置は、前記判定部による判定結果に基づき良品の管ガラスと不良品の管ガラスとを選別することを特徴とする請求項６に記載の管ガラスの加工装置。
【請求項８】
管ガラスの端部を口焼きする口焼き工程を備える管ガラスの製造方法であって、
前記管ガラスの口焼きの状態を検査する口焼き検査工程と、
前記口焼き検査工程における検査結果に基づいて良品の管ガラスと不良品の管ガラスとを選別する選別工程とをさらに備え、
前記口焼き検査工程では、前記管ガラスの外周面から前記管ガラスの壁内に光を入射することで、前記管ガラスの壁内から前記管ガラスの端面に向けて光を照射させ、
前記管ガラスの端面から出射する光を検出し、
前記検出した光の検出結果に基づき前記口焼きの状態の良否を判定することを特徴とする管ガラスの製造方法。
【発明の詳細な説明】
【技術分野】
【０００１】
本発明は、管ガラス用検査装置、管ガラスの検査方法、管ガラスの加工装置、及び管ガラスの製造方法に関する。
【背景技術】
【０００２】
所定の長さに切断された管ガラスでは、例えば、特許文献１に開示されるように端部（切断部分）を加熱して丸める口焼きが行われる場合がある。このような管ガラスの検査項目として、管ガラスの端部形状の外観検査が知られている。特許文献２には、管ガラスの管軸方向に対して側方に配置したカメラを用いて端部形状を外観検査する管ガラス用検査装置が開示されている。
【先行技術文献】
【特許文献】
【０００３】
【特許文献１】特開２００２−２７４８７２号公報
【特許文献２】特開平０８−０９４３２９号公報
【発明の概要】
【発明が解決しようとする課題】
【０００４】
管ガラスを口焼きする工程では、十分に口焼きがなされずに不良品が発生する場合がある。したがって、管ガラスを口焼きする工程の後、口焼きが適切に行われた良品の管ガラスに、口焼きが適切に行われていない不良品の管ガラスが混入しないように、不良品の管ガラスを取り除く必要がある。ところが、適切に口焼きが行われた良品の管ガラスの端縁と、口焼きが適切に行われていない不良品の管ガラスの端縁との形状は比較的類似しているため、従来の管ガラスの端部形状の外観検査方法に基づいて口焼きの状態の良否の判定することは困難であった。
【０００５】
本発明は、こうした実情に鑑みてなされたものであり、その目的は、管ガラスの口焼きの状態の良否を判定することのできる管ガラス用検査装置、管ガラスの検査方法、管ガラスの加工装置、及び管ガラスの製造方法を提供することにある。
【課題を解決するための手段】
【０００６】
上記課題を解決する管ガラス用検査装置は、管ガラスの口焼きの状態を検査する管ガラス用検査装置であって、前記管ガラスの外周面から前記管ガラスの壁内に光を入射することで、前記管ガラスの壁内から前記管ガラスの端面に向けて光を照射する光源と、前記管ガラスの端面から出射する光を検出可能とする検出部と、前記検出部による光の検出結果に基づき前記口焼きの状態の良否を判定する判定部と、を備える。
【０００７】
ここで、口焼きが適切に行われた良品の管ガラスの端面は、突状に湾曲した平滑面である。このため、良品の管ガラスの壁内から端面に向けて照射された光は、良品の管ガラスの端面形状に基づくレンズ効果によって集光されて端面から出射する。一方、口焼きが適切に行われていない不良品の管ガラスの端面は、良品の管ガラスよりも平坦であり、微細な凹凸を有する粗面である。このため、不良品の管ガラスの壁内から端面に向けて照射された光は、その端面で反射又は散乱し易い。すなわち、管ガラスの端面から出射する光の強さは、管ガラスの口焼きの状態により変化し易い。このように管ガラスの端面から出射する光を上記管ガラス用検査装置の検出部で検出した結果は、管ガラスの口焼きの状態の指標として好適である。
【０００８】
また、例えば、管ガラスの一方の端面から壁内に光を入射させた場合、管ガラスの管長が長くなるにつれて、他方の端面に光が到達し難く、管ガラスの端面から出射する光の強さに基づいて管ガラスの口焼きの状態を検査することは困難となる。上記管ガラス用検査装置の光源は、管ガラスの外周面から管ガラスの壁内に光を入射する構成であるため、管ガラスの管長等の寸法に依存せずに、管ガラスの壁内から管ガラスの端面に光を照射することが可能である。これにより、例えば、管長が比較的長い管ガラスであっても、口焼きの状態を検査することが可能となる。
【０００９】
上記管ガラス用検査装置において、前記光源は、第１の光源と、前記管ガラスの管軸方向から見たときに前記第１の光源とは異なる方向から前記管ガラスの壁内に光を入射する第２の光源と、を含むことが好ましい。
【００１０】
この構成によれば、良品の管ガラスでは、その端面から出射される光の範囲が拡がるため、管ガラス用検査装置の検出部において光を検出し易くなる。また、管ガラスの端面において口焼きの状態を検査する範囲を拡げることが可能となる。これにより、口焼きの状態の良否判定についての信頼性を高めることが可能となる。
【００１１】
上記管ガラス用検査装置は、前記光源からの光が入射される前記管ガラスを管軸中心で回転させる回転機構を備えることが好ましい。
この構成によれば、管ガラスの周方向において、口焼きの状態を検査する範囲を拡げることが可能となる。これにより、口焼きの状態の良否判定の信頼性を高めることが可能となる。
【００１２】
上記管ガラス用検査装置において、前記検出部は、前記管ガラスの端面を撮像可能に設けられた撮像装置を含むことが好ましい。
この構成によれば、管ガラスの端面から出射される光を検出し易くなるため、口焼きの状態の良否判定の信頼性を高めることが可能となる。
【００１３】
上記課題を解決する管ガラスの検査方法は、管ガラスの口焼きの状態を検査する管ガラスの検査方法であって、前記管ガラスの外周面から前記管ガラスの壁内に光を入射することで、前記管ガラスの壁内から前記管ガラスの端面に向けて光を照射する光源と、前記管ガラスの端面から出射する光を検出可能とする検出部と、前記検出部による光の検出結果に基づき前記口焼きの状態の良否を判定する判定部と、を用いる。
【００１４】
上記課題を解決する管ガラスの加工装置は、管ガラスの端部を口焼きする口焼き部を備える管ガラスの加工装置であって、前記管ガラスの口焼きの状態を検査する管ガラス用検査装置をさらに備え、前記管ガラス用検査装置は、前記管ガラスの外周面から前記管ガラスの壁内に光を入射することで、前記管ガラスの壁内から前記管ガラスの端面に向けて光を照射する光源と、前記管ガラスの端面から出射する光を検出可能とする検出部と、前記検出部による光の検出結果に基づき前記口焼きの状態の良否を判定する判定部と、を備える。
【００１５】
この構成によれば、管ガラスの口焼き工程と口焼き検査工程とを連続して行うことが可能となる。
上記管ガラスの加工装置は、前記管ガラスを選別する選別装置をさらに備え、前記選別装置は、前記判定部による判定結果に基づき良品の管ガラスと不良品の管ガラスとを選別することが好ましい。
【００１６】
例えば、上記のように構成することで、口焼きが適切に行われた良品の管ガラスと、口焼きが適切に行われていない不良品の管ガラスとの選別を自動化することができる。
上記課題を解決する管ガラスの製造方法は、管ガラスの端部を口焼きする口焼き工程を備える管ガラスの製造方法であって、前記管ガラスの口焼きの状態を検査する口焼き検査工程と、前記口焼き検査工程における検査結果に基づいて良品の管ガラスと不良品の管ガラスとを選別する選別工程とをさらに備え、前記口焼き検査工程では、前記管ガラスの外周面から前記管ガラスの壁内に光を入射することで、前記管ガラスの壁内から前記管ガラスの端面に向けて光を照射させ、前記管ガラスの端面から出射する光を検出し、前記検出した光の検出結果に基づき前記口焼きの状態の良否を判定する。
【発明の効果】
【００１７】
本発明によれば、管ガラスの口焼きの状態の良否を判定することができる。
【図面の簡単な説明】
【００１８】
【図１】実施形態における管ガラス用検査装置を示す概略図である。
【図２】管ガラス用検査装置の一部を示す概略図である。
【図３】管ガラスの良否判定を説明する概略図である。
【図４】管ガラスの加工装置及び管ガラスの製造方法を説明する概略図である。
【発明を実施するための形態】
【００１９】
以下、管ガラスの口焼きの状態の良否を判定することのできる管ガラス用検査装置、管ガラスの検査方法、管ガラスの加工装置、及び管ガラスの製造方法の実施形態について図面を参照して説明する。なお、図面では、説明の便宜上、構成の一部を誇張して示す場合がある。また、各部分の寸法比率についても、実際と異なる場合がある。
【００２０】
＜管ガラス用検査装置及び管ガラスの検査方法＞
図１に示すように、管ガラスＧの口焼きの状態を検査する管ガラス用検査装置１１は、管ガラスＧの外周面Ｇａから管ガラスＧの壁内に光を入射することで、管ガラスＧの壁内から管ガラスＧの端面Ｇｂに向けて光を照射する光源１２を備えている。管ガラス用検査装置１１は、管ガラスＧの端面Ｇｂから出射する光を検出可能とする検出部１３と、検出部１３による光の検出結果に基づき管ガラスＧの口焼きの状態の良否を判定する判定部とをさらに備えている。
【００２１】
管ガラス用検査装置１１の光源１２から照射する光は、ガラスを透過する光であれば特に限定されない。光源１２から照射する光としては、赤色光、青色光等の可視光であることが好ましい。光源１２としては、例えば、ＬＥＤを用いることができる。管ガラス用検査装置１１の光源１２は、管ガラスＧにおいて検査対象となる端部に光が向かうように管ガラスＧの管軸方向に対して傾斜した光を管ガラスＧの外周面Ｇａに入射する。すなわち、光源１２からの光は、管ガラスＧの端面Ｇｂには直接入射されない。管ガラス用検査装置１１の光源１２は、管ガラスＧの外周面Ｇａに対する入射角θが１０°以上、８０°以下の範囲となるように設けられることが好ましい。
【００２２】
図２に示すように、本実施形態の管ガラス用検査装置１１における光源１２は、第１の光源１２ａと、管ガラスＧの管軸方向から見たときに第１の光源１２ａとは異なる方向から管ガラスＧの壁内に光を入射する第２の光源１２ｂとから構成されている。第１の光源１２ａ及び第２の光源１２ｂは、第１の光源１２ａによる光の照射領域と、第２の光源１２ｂによる光の照射領域とが管ガラスＧの管軸方向から見たときに管ガラスＧの外周面Ｇａ上で重なるように配置されている。
【００２３】
本実施形態の管ガラス用検査装置１１は、光源１２からの光が入射される管ガラスＧを管軸中心で回転させる回転機構１４をさらに備えている。この回転機構１４により、光源１２からの光を管ガラスＧの外周面Ｇａにおいて周方向全体にわたって入射させることができる。
【００２４】
図１に示すように、管ガラス用検査装置１１の検出部１３は、管ガラスＧの端面Ｇｂを撮像可能に設けられた撮像装置１３ａと表示部１３ｂとを備えている。撮像装置１３ａ及び表示部１３ｂは、管ガラス用検査装置１１の制御部を構成する画像処理部に接続されている。撮像装置１３ａは、例えば、ＣＣＤやＣＭＯＳ等の撮像素子を備えたカメラを用いることができる。撮像装置１３ａにおける撮像範囲は、管ガラスＧの端面Ｇｂの全体が含まれるように設定してもよいし、管ガラスＧの端面Ｇｂの一部が含まれるように設定してもよい。
【００２５】
次に、管ガラスＧの口焼きの状態の検査についての原理を説明する。
図１に示すように、口焼きが適切に行われた良品の管ガラスＧ１の端面Ｇｂ（良品の管ガラスＧ１の壁における端縁）は、突状に湾曲した平滑面である。このため、良品の管ガラスＧ１の壁内から端面Ｇｂに向けて照射された光は、良品の管ガラスＧ１の端面形状に基づくレンズ効果によって集光されて端面Ｇｂから出射する。すなわち、良品の管ガラスＧ１では、端面Ｇｂから出射する光（光の像）が、管ガラス用検査装置１１の検出部１３（撮像装置１３ａ）によって検出（撮像）される。なお、本実施形態では、検出部１３の表示部１３ｂに端面部分Ｓの画像が表示される。
【００２６】
図３には、口焼きが適切に行われていない不良品の管ガラスＧ２を示している。この不良品の管ガラスＧ２の端面Ｇｂ（不良品の管ガラスＧ２の壁における端縁）は、良品の管ガラスＧ１よりも平坦であり、微細な凹凸を有する粗面である。このため、不良品の管ガラスＧ２の壁内から端面Ｇｂに向けて照射された光は、その端面Ｇｂで反射又は散乱し易い。すなわち、管ガラス用検査装置１１の検出部１３（撮像装置１３ａ）は、不良品の管ガラスＧ２の端面Ｇｂから出射する光を検出不能（光の像が撮像不能）であるか、又は極めて弱い光を検出（極めて不鮮明な像を撮像）することになる。
【００２７】
本実施形態の管ガラス用検査装置１１の制御部は、上述した画像処理部と判定部とを備えている。画像処理部は、撮像装置１３ａで撮像された画像について、例えば、良品の管ガラスＧ１の端面部分Ｓを表示部１３ｂに表示させる一方で、不良品の管ガラスＧ２の端面部分を表示部１３ｂに表示させないように処理する。管ガラス用検査装置１１の制御部における判定部は、検出部１３の撮像装置１３ａにより得られた画像に基づき管ガラスＧの口焼きの状態の良否を判定する。詳述すると、こうした判定部は、検出部１３（画像処理部）から検出結果（画像信号）を取得し、例えば、明暗や色調を識別する閾値を用いて管ガラスＧの口焼きの状態の良否を判定する。判定部は、後述する管ガラスの加工装置における選別装置に判定結果を送信するように構成されている。
【００２８】
管ガラスＧの口焼きの状態を検査する管ガラスＧの検査方法は、上述した管ガラス用検査装置１１の光源１２、検出部１３及び判定部を用いて管ガラスＧの口焼きの状態を検査する方法である。口焼き状態の検査の対象となる管ガラスＧとしては、例えば、外径が６ｍｍ以上、７０ｍｍ以下の範囲であり、壁の厚さが０．４ｍｍ以上、２ｍｍ以下の範囲であり、管長が１２００ｍｍ以上、２２００ｍｍ以下の範囲の管ガラスが挙げられる。
【００２９】
＜管ガラスの加工装置＞
図４に示すように、管ガラスの加工装置１５は、管ガラスＧの端部を口焼きする口焼き装置１６を備えている。口焼き装置１６は、管ガラスＧの端部を加熱するバーナー１６ａを備えている。口焼き装置１６は、図示を省略した周知の搬送装置を備え、複数の管ガラスを連続して口焼きすることができるように構成されている。搬送装置は、管ガラスを管軸中心に回転させながら管ガラスの径方向に沿った方向に管ガラスを搬送する。
【００３０】
管ガラスの加工装置１５は、上述した管ガラス用検査装置１１と、管ガラスＧを選別する選別装置１７とをさらに備えている。選別装置１７は、管ガラス用検査装置１１の判定部による判定結果に基づき良品の管ガラスＧ１と不良品の管ガラスＧ２とを選別するように構成されている。詳述すると、管ガラスの加工装置１５における選別装置１７は、管ガラス用検査装置１１の判定部により不良である旨の判定がなされない場合、製品配置部１８に向けて良品の管ガラスＧ１が搬出されることを許容している。選別装置１７は、管ガラス用検査装置１１の判定部により不良である旨の判定がなされた場合、不良品の管ガラスＧ２を回収部１９に向けて搬出する動作を行うように構成されている。選別装置１７の選別機構としては、不良品の管ガラスＧ２を良品の管ガラスＧ１の搬送経路から脱離させる周知の機構を用いることができる。
【００３１】
以上のように構成した管ガラスの加工装置１５は、口焼き装置１６を用いた口焼き工程、管ガラス用検査装置１１を用いた口焼き検査工程、及び選別装置を用いた選別工程を行うことができる。
【００３２】
＜管ガラスの製造方法＞
図４に示すように、管ガラスの製造方法は、管ガラスＧの端部を口焼きする口焼き工程を備えている。管ガラスの製造方法は、管ガラスＧの口焼きの状態を検査する口焼き検査工程と、口焼き検査工程における検査結果に基づいて良品の管ガラスＧ１と不良品の管ガラスＧ２とを選別する選別工程とをさらに備えている。口焼き検査工程では、管ガラスＧの外周面Ｇａから管ガラスＧの壁内に光を入射することで、管ガラスＧの壁内から管ガラスＧの端面Ｇｂに向けて光を照射させ、管ガラスＧの端面Ｇｂから出射する光を検出する。さらに、口焼き検査工程では、検出した光の検出結果に基づき管ガラスＧの口焼きの状態の良否を判定している。
【００３３】
なお、口焼き前の管ガラスは、例えば、ダンナー法又はダウンドロー法（ベロー法）を用いて溶融ガラスから成形し、所定の長さに切断されたものである。口焼き前の管ガラスの端面は、切断用の傷を利用して折り割った端面であってもよいし、切断用の傷に熱衝撃を加えることで割断した端面であってもよい。
【００３４】
以上詳述した実施形態によれば、次のような作用効果が発揮される。
（１）管ガラスＧの口焼きの状態を検査する管ガラス用検査装置１１は、管ガラスＧの外周面Ｇａから管ガラスＧの壁内に光を入射することで、管ガラスＧの壁内から管ガラスＧの端面Ｇｂに向けて光を照射する光源１２を備えている。また、管ガラス用検査装置１１は、管ガラスＧの端面Ｇｂから出射する光を検出可能とする検出部１３と、検出部１３による光の検出結果に基づき口焼きの状態の良否を判定する判定部とを備えている。
【００３５】
ここで、口焼きが適切に行われた良品の管ガラスＧ１の端面Ｇｂは、突状に湾曲した平滑面である。このため、良品の管ガラスＧ１の壁内から端面Ｇｂに向けて照射された光は、良品の管ガラスＧ１の端面形状に基づくレンズ効果によって集光されて端面Ｇｂから出射する。一方、口焼きが適切に行われていない不良品の管ガラスＧ２の端面Ｇｂは、良品の管ガラスＧ１よりも平坦であり、微細な凹凸を有する粗面である。このため、不良品の管ガラスＧ２の壁内から端面Ｇｂに向けて照射された光は、その端面Ｇｂで反射又は散乱し易い。すなわち、管ガラスＧの端面Ｇｂから出射する光の強さは、管ガラスＧの口焼きの状態により変化し易い。このように管ガラスＧの端面Ｇｂから出射する光を上記管ガラス用検査装置１１の検出部１３で検出した結果は、管ガラスＧの口焼きの状態の指標として好適である。
【００３６】
また、例えば、管ガラスＧの一方の端面Ｇｂから壁内に光を入射させた場合、管ガラスＧの管長が長くなるにつれて、他方の端面Ｇｂに光が到達し難く、管ガラスＧの端面Ｇｂから出射する光の強さに基づいて管ガラスＧの口焼きの状態を検査することは困難となる。上記管ガラス用検査装置１１の光源１２は、管ガラスＧの外周面Ｇａから管ガラスＧの壁内に光を入射する構成であるため、管ガラスＧの管長等の寸法に依存せずに、管ガラスＧの壁内から管ガラスＧの端面Ｇｂに光を照射することが可能である。これにより、例えば、管長が比較的長い管ガラスＧであっても、口焼きの状態を検査することが可能となる。すなわち、上記管ガラス用検査装置１１は、検査対象にすることの可能な管ガラスＧの種類が多く、管ガラス用検査装置１１の汎用性が高い。
【００３７】
以上のように、管ガラス用検査装置１１によれば、管ガラスの口焼きの状態の良否を判定することができる。
（２）管ガラス用検査装置１１の光源１２は、第１の光源１２ａと、管ガラスＧの管軸方向から見たときに第１の光源１２ａとは異なる方向から管ガラスＧの壁内に光を入射する第２の光源１２ｂとを含むことが好ましい。
【００３８】
この場合、良品の管ガラスＧ１では、その端面Ｇｂから出射される光の範囲が拡がるため、管ガラス用検査装置１１の検出部１３において光を検出し易くなる。また、管ガラスＧの端面Ｇｂにおいて口焼きの状態を検査する範囲を拡げることが可能となる。これにより、口焼きの状態の良否判定についての信頼性を高めることが可能となる。
【００３９】
（３）管ガラス用検査装置１１は、光源１２からの光が入射される管ガラスＧを管軸中心で回転させる回転機構１４を備えている。この場合、管ガラスＧの周方向において、口焼きの状態を検査する範囲を拡げることが可能となる。これにより、口焼きの状態の良否判定の信頼性を高めることが可能となる。例えば、管ガラスＧの周方向において、口焼きの状態が部分的に不良である場合であっても、管ガラス用検査装置１１の検出部１３で検出することが可能となる。
【００４０】
（４）管ガラス用検査装置１１の検出部１３は、管ガラスＧの端面Ｇｂを撮像可能に設けられた撮像装置１３ａを含む。この場合、管ガラスＧの端面Ｇｂから出射される光を検出し易くなるため、口焼きの状態の良否判定の信頼性を高めることが可能となる。
【００４１】
（５）管ガラスの加工装置１５は、管ガラスＧの端部を口焼きする口焼き装置１６を備えている。管ガラスの加工装置１５は、管ガラスＧの口焼きの状態を検査する管ガラス用検査装置１１をさらに備えている。管ガラス用検査装置１１は、上述した光源１２、検出部１３、及び判定部を備えている。この構成によれば、管ガラスＧの口焼き工程と口焼き検査工程とを連続して行うことが可能となる。
【００４２】
（６）管ガラスの加工装置１５は、管ガラスＧを選別する選別装置１７をさらに備え、選別装置１７は、管ガラス用検査装置１１の判定部による判定結果に基づき良品の管ガラスＧ１と不良品の管ガラスＧ２とを選別する構成であることが好ましい。
【００４３】
例えば、上記のように構成することで、口焼きが適切に行われた良品の管ガラスＧ１と、口焼きが適切に行われていない不良品の管ガラスＧ２との選別を自動化することができる。
【００４４】
（変更例）
上記実施形態を次のように変更して構成してもよい。
・管ガラス用検査装置１１の検出部１３は、撮像装置１３ａを含んでいるが、撮像装置１３ａを光センサに変更するとともに、管ガラス用検査装置１１の判定部を光センサの検出結果に基づき管ガラスＧの口焼きの状態の良否を判定するように構成してもよい。
【００４５】
・管ガラス用検査装置１１の撮像装置１３ａは、管ガラスＧの端面Ｇｂに対向する位置に設けられているが、撮像装置１３ａを設置する位置を適宜変更することができる。例えば、管ガラスＧの端面Ｇｂを写すミラーを設けるとともに、このミラーに映る鏡像を撮像装置１３ａで撮像するように構成することで、撮像装置１３ａの位置を変更することができる。
【００４６】
・管ガラス用検査装置１１の回転機構１４を省略してもよい。
・管ガラス用検査装置１１の光源１２の数は、単数であってもよいし、３つ以上であってもよい。また、例えば、管ガラス用検査装置１１の第１の光源１２ａと第２の光源１２ｂとは、管ガラスＧを挟んで対向する位置に配置することもできる。すなわち、第１の光源１２ａによる光の照射領域と、第２の光源１２ｂによる光の照射領域とは、管ガラスＧの管軸方向から見たときに管ガラスＧの外周面Ｇａ上で離間していてもよい。
【００４７】
・管ガラス用検査装置１１の光源１２としては、点光源、線光源、及び面光源から選ばれる少なくとも一種を用いることができる。
・管ガラス用検査装置１１の光源１２は、例えば、搬送される管ガラスＧが通過するタイミングに合わせて間欠的に点灯するように構成してもよい。
【００４８】
・管ガラス用検査装置１１は、管ガラスの加工装置１５の一部として装備される態様に限定されず、例えば、口焼き装置１６とは独立した検査装置として用いることもできる。
・管ガラスの加工装置１５における選別装置１７を省略してもよい。例えば、管ガラスの加工装置１５における選別装置１７を管ガラス用検査装置１１による判定結果を管ガラスＧにマーキングするマーキング装置や管ガラス用検査装置１１による判定結果を音や光で作業者に報知する報知装置に変更してもよい。
【００４９】
・管ガラスの口焼きは、管ガラスの一端部のみに行われてもよいし、管ガラスＧの両端部に行われてもよい。
【符号の説明】
【００５０】
１１…管ガラス用検査装置、１２…光源、１２ａ…第１の光源、１２ｂ…第２の光源、１３…検出部、１３ａ…撮像装置、１４…回転機構、１５…管ガラスの加工装置、１６…口焼き装置、１７…選別装置、Ｇ…管ガラス、Ｇａ…外周面、Ｇｂ…端面、Ｇ１…良品の管ガラス、Ｇ２…不良品の管ガラス。
【図１】
0006668959.tif 000002
【図２】
0006668959.tif 000003
【図３】
0006668959.tif 000004
【図４】
0006668959.tif 000005